(57)【要約】【課題】あらゆる設置スペースにも設置可能であり、組立作業が容易であって、自立機能の高い仕切り、仕切り等に利用可能なシート部材、仕切りを使用したブースを提供する。【解決手段】仕切り２は、矩形状のシート本体１０と、シート本体１０に形成された平行折り目２０と、シート本体１０に形成された屈曲折り目３０と、を備える。隣り合う平行折り目２０の折り目は、山折り目ＹＭと谷折り目ＴＮとが互い違いになっている。屈曲折り目３０は、ジグザグ状に延びるものであり、平行折り目２０に対して鋭角に交差する。屈曲折り目３０は、全て、谷折り目ＴＮ又は山折り目ＹＭとなる。屈曲折り目３０が谷折り目ＴＮとなるようにシート本体１０を見た場合、屈曲折り目３０に対して鈍角βに交わる平行折り目２０は谷折り目ＴＮであり、屈曲折り目３０に対して鋭角αに交わる平行折り目２０は山折り目ＹＭである。【選択図】図２
2020169479.tif 000002
【特許請求の範囲】
【請求項１】
所定方向に延びる複数の平行折り目と、
前記平行折り目の間では前記平行折り目に交差する方向に向かって真っすぐに延びるとともに前記平行折り目との交差位置では屈曲する屈曲折り目と、を備えたシート部材であり、
前記平行折り目において前記シート部材が折れ曲がった折れ曲がり状態と、前記平行折り目において前記シート部材が折れ曲がっていない平坦状態と、それぞれ定義した際、
前記屈曲折り目及び前記平行折り目のパターンが、前記折れ曲がり状態から前記平坦状態への遷移を規制することを特徴とするシート部材。
【請求項２】
前記屈曲折り目が谷折り目の場合、
前記屈曲折り目に対して鈍角に交わる前記平行折り目は谷折り目であり、
前記屈曲折り目に対して鋭角に交わる前記平行折り目は山折り目であることを特徴とする請求項１記載のシート部材。
【請求項３】
所定の面に対し起立するように設置される仕切りであって、
請求項１または２の前記シート部材を備え、
前記シート部材のうち前記所定の面に接する部分は、前記折れ曲がり状態となっていることを特徴とする仕切り。
【請求項４】
前記所定の面に対して接することにより起立状態の前記シート部材を支える支持構造を備え、
前記支持構造は、
前記シート部材の表面側又は裏面側に向かって突出することを特徴とする請求項３記載の仕切り。
【請求項５】
前記支持構造は、
前記シート部材において前記所定方向の片端部に連接することを特徴とする請求項４記載の仕切り。
【請求項６】
前記所定方向の他端部から前記屈曲折り目に向かって伸びるスリットが形成されることを特徴とする請求項５記載の仕切り。
【請求項７】
前記屈曲折り目は、前記所定方向において前記片端部側へ寄っていることを特徴とする請求項５または６記載の仕切り。
【請求項８】
請求項３ないし７のうちいずれか１項記載の仕切りを複数備え、
複数の前記仕切りは、所定のエリアを囲うように配されたことを特徴とするブース。
【請求項９】
請求項３ないし７のうちいずれか１項記載の仕切りと請求項６項記載の仕切りを用いて、所定のエリアを囲うブースであって、
請求項６項記載の仕切りの前記スリットは、前記ブースの角部に配されたことを特徴とするブース。
【請求項１０】
請求項３ないし７のうちいずれか１項記載の仕切りが接続してなるブースであって、
隣り合う前記仕切りを第１仕切り及び第２仕切りと定義した際、
前記屈曲折り目から前記所定方向の他端部までの部分において、前記第１仕切りと前記第２仕切りとは離れている一方、
前記屈曲折り目から前記所定方向の一端部までの部分において、前記第１仕切りと前記第２仕切りとは連なっており、
前記第１仕切りと前記第２仕切りの接続部が前記ブースの角部を形成することを特徴とするブース。
【発明の詳細な説明】
【技術分野】
【０００１】
本発明は、シート部材、仕切り及びブースに関する。
【背景技術】
【０００２】
従来、災害時の避難所として、学校の体育館や講堂等の床面積の広い施設が用いられる場合には、各避難者の専用スペースを囲ったり避難者同士を間仕切りしたりするために、段ボールで間に合わせに作ったパーティションが用いられている。
【０００３】
ところが、この段ボール製のパーティションは、救援物資等を収納していた段ボール箱等を展開して、ガムテープ等でつなぎ合わせて組立てるため、１スペースを囲むためのパーティションを組立てるだけでも、かなりの時間と労力がかかるという問題が有った。
【０００４】
そこで、特許文献１では、段ボール製の板状部材をクリップにより連結する簡易間仕切り構造が提案されている。この簡易間仕切り構造は、段ボールの端部を折り曲げ、端部同士をつなぎ合わせてなり、段ボールの折り曲げ部分が自立機構として機能する。
【先行技術文献】
【特許文献】
【０００５】
【特許文献１】実用新案登録第３１１８７１１号公報
【発明の概要】
【発明が解決しようとする課題】
【０００６】
ところが、特許文献１の簡易間仕切り構造は、複数の板状部材をつなぎ合わせることによって、初めて自立する構造であり、１数の板状部材単体で自立させることができない。また、板幅よりも狭いスペースには設置できない。よって、間仕切りとしての用途が限られてしまう。
【０００７】
また、特許文献１の簡易間仕切り構造の組立作業においては、複数の板状部材を同時に起立させる必要があるため、複数の人間が必要となる。特許文献１の簡易間仕切り構造の構造上、２〜３ミリの厚さの段ボールを利用することから、重量の増加より、女性、子供や高齢者など、非力な者にとっては、組立作業が困難なものとなってしまう。
【０００８】
さらに、特許文献１の簡易間仕切り構造においては、自立機構が、板幅毎にしか設置されないこととなる。このような構造の場合、たとえば、水に濡れてしまう、または、繰り返しの使用を通じて、自立機構の部分の強度が落ちてしまうと、結果として自立機構として十分な機能を果たさない。
【０００９】
本発明は、斯かる実情に鑑み、あらゆる設置スペースにも設置可能であり、組立作業が容易であって、自立機能の高い仕切り、仕切り等に利用可能なシート部材、仕切りを使用したブース
を提供しようとするものである。
【課題を解決するための手段】
【００１０】
本発明は、所定方向に延びる複数の平行折り目と、前記平行折り目の間では前記平行折り目に交差する方向に向かって真っすぐに延びるとともに前記平行折り目との交差位置では屈曲する屈曲折り目と、を備えたシート部材であり、  前記シート部材は、前記平行折り目において折れ曲がった折れ曲がり状態と、  前記平行折り目において折れ曲がっていない平坦状態と、それぞれ定義した際、前記屈曲折り目及び前記平行折り目のパターンが、前記折れ曲がり状態から前記平坦状態への遷移を規制することを特徴とする。
【００１１】
本発明は、所定の面に対し起立するように設置される仕切りであって、上記シート部材を備え、前記平行折り目は、前記所定の面に対して垂直となっていることを特徴とする。
【００１２】
本発明のブースは、上記の仕切りを複数備え、複数の仕切りは、所定のエリアを囲うように配されていることを特徴とする。また、本発明のブースは、上記の仕切りを用いて、所定のエリアを囲うブースであって、前記仕切りのスリットは、前記ブースの角部に配されたことを特徴。さらに、本発明は、上記のブースであって、隣り合う前記仕切りを第１仕切り及び第２仕切りと定義した際、前記屈曲折り目から前記所定方向の他端部までの部分において、前記第１仕切りと前記第２仕切りとは離れている一方、前記屈曲折り目から前記所定方向の一端部までの部分において、前記第１仕切りと前記第２仕切りとは連なっており、前記第１仕切りと前記第２仕切りの接続部が前記ブースの角部を形成することを特徴とする。
【発明の効果】
【００１３】
本発明によれば、あらゆる設置スペースにも設置可能であり、組立作業が容易であって、自立機能の高い仕切り、仕切り等に利用可能なシート部材、仕切りを使用したブース
を提供することができる。
【図面の簡単な説明】
【００１４】
【図１】仕切りとなる第１のシート本体の展開図である。
【図２】仕切りとなる第１のシート本体の展開図である。
【図３】平行折り目と屈曲折り目との交差位置を拡大した拡大図である。
【図４】仕切りを組み合わせてなるブースの斜視図である。
【図５】仕切りを組み合わせてなるブースを模式的に示した平面図である。
【図６】（Ａ）は、折れ曲がり状態の仕切りの斜視図である。（Ｂ）は、折り畳み状態の仕切りの斜視図である。
【図７】第２のシート本体の概要を示す平面図である。
【図８】第１のシート本体からなる仕切りと、第２のシート本体からなる仕切りと、を組み合わせてなるブースを模式的に示した平面図である。
【図９】第３のシート本体の概要を示す平面図である。
【図１０】第１のシート本体からなる仕切りと、第３のシート本体からなる仕切りと、を組み合わせてなるブースを模式的に示した平面図である。
【発明を実施するための形態】
【００１５】
以下、説明の便宜上、水平面内における任意の方向をＸ方向とし、水平面内における任意の方向のうちＸ方向と直交する方向をＹ方向とし、水平面に直交する方向をＺ方向とする。
【００１６】
図１〜２に示すように、仕切り２は、Ｘ方向を横方向とし、Ｚ方向を縦方向とする矩形状のシート本体１０と、シート本体１０に形成された平行折り目２０と、シート本体１０に形成された屈曲折り目３０と、シート本体１０のＺ方向端部から連接するスタンド片４０と、シート本体１０のＸ方向端部から連接する連結片５０と、を備える。
【００１７】
シート本体１０の材料は、本発明の目的の範囲内であれば、特に限定されない。例えば、シート本体１０として、紙類（厚紙や、薄手の段ボール（例えば、厚みが２ｍｍ以下）等）、プラスチックシートや、金属シート等がある。
【００１８】
平行折り目２０はＺ方向に延びるものである。Ｘ方向からみて、隣り合う平行折り目２０の折り目は、山折り目ＹＭ（図２の実線部分）と谷折り目ＴＮ（図２の破線部分）とが互い違いになっている。ここで、シート本体１０のうち、平行折り目２０によって仕切られた部分を、それぞれ板部分１５と称する。板部分１５の幅Ｗ１５は等しくなっているが、発明の効果が得られるものであれば特に限定されないが、例えば、板部分１５の幅Ｗ１５は異なっていてもよい。
【００１９】
屈曲折り目３０は、Ｘ方向において延びる。屈曲折り目３０は、平行折り目２０の間ではまっすぐ延び、平行折り目２０に対して所定の角度で交差する。屈曲折り目３０は、平行折り目２０との交差位置では、屈曲する。屈曲の方向は、Ｚ方向上向き、Ｚ方向下向き、Ｚ方向上向き、・・・のように、隣り合う交差位置において逆向きとなる。
【００２０】
Ｚ方向における屈曲折り目３０の設定位置は、シート本体１０の端部近傍でもよし、中央部でもよい。なお、仕切り２として使用する場合、Ｚ方向における屈曲折り目３０の設定位置は、シート本体１０の端部近傍であることが好ましい。
【００２１】
以降、板部分１５のうち、屈曲折り目３０よりもＺ方向の一方側（紙面上方向）をシート上部１５Ｕと称し、屈曲折り目３０よりもＺ方向の他方側（紙面下方向）をシート下部１５Ｌと称する。Ｚ方向におけるシート上部１５Ｕの長さＬＵは、Ｚ方向におけるシート下部１５Ｌの長さＬＬよりも短いことが好ましい。
【００２２】
図３に示すように、平行折り目２０に対する屈曲折り目３０の交差角度αは、発明の効果が得られるものであれば特に限定されないが、例えば、８０°以上９０°未満であることが好ましく、８３°以上８８°以下であることがより好ましい。また、それぞれの交差位置における交差角度αは、発明の効果が得られるものであれば特に限定されないが、各々が等しいことが好ましい。
【００２３】
図１〜２に示すように、屈曲折り目３０は、全て、谷折り目ＴＮ又は山折り目ＹＭのどちらかとなる。屈曲折り目３０が谷折り目ＴＮとなるようにシート本体１０を見た場合、屈曲折り目３０に対して鈍角βに交わる平行折り目２０は谷折り目ＴＮであり、屈曲折り目３０に対して鋭角αに交わる平行折り目２０は山折り目ＹＭである。
【００２４】
スタンド片４０は、それぞれの板部分１５の下端部から連接する。スタンド片４０と板部分１５との連接部分は、連接折り目４５が設定されている。この連接折り目４５は、山折り目ＹＭと谷折り目ＴＮとが交互になる。
【００２５】
連結片５０は、シート本体１０のＸ方向端部から連接する。連結片５０には、面ファスナ５８が設けられている。シート本体１０の紙面方向裏面側にも面ファスナ５８が設けられる。このような仕切り２を複数用いることにより、面ファスナ同士を合わせることによって、複数の仕切り２を連結することができる。そして、複数の仕切り２を連結することにより、ブース１００が完成する（図４）。なお、シート本体１０において、連結片５０は、片方のＸ方向端部から連接しているが、両方のＸ方向端部から連接していてもよい。
【００２６】
なお、連結片５０とシート本体１０との連接部分において、屈曲折り目３０が形成されていてもよい。また、連結片５０とシート本体１０との連接折り目５５は、平行折り目２０となっていてもよい。この場合において、平行折り目２０及び屈曲折り目３０のパターンは、シート本体１０と同様であることが好ましい。
【００２７】
図１に示すシート本体１０において、屈曲折り目３０、平行折り目２０及び連接折り目４５、５５を所定の方向に折ると、シート本体１０は折れ曲がり状態となる（図４）。折れ曲がり状態のシート本体１０が、仕切り２の使用状態となる。
【００２８】
複数の仕切り２をロ字状に並べ互いに連結すると、図５（Ａ）に示すような基本ブース１００が得られる。複数の仕切り２によって囲まれた空間、すなわち、基本ブース１００の内部空間は、仕切り２によって視界が遮られるため、プライベート空間となる。また、複数の仕切り２をコ字状に並べ互いに連結すると、図５（Ｂ）に示すような増設ブース２００が得られる。このようにして、増設ブース２００を基本ブース１００に併設することにより、少ない枚数の仕切り２を用いてより多くのプライベート空間をつくることができる。
【００２９】
仕切り２は、山折り目ＹＭと谷折り目ＴＮとが互い違いになっている平行折り目２０（図１〜２）を備えるため、シート部材のうち地面や床等に接する部分は、折れ曲がり状態となっている。このような折れ曲がり状態のシート本体１０は、仕切り２の自立機能を奏することとなる（図４〜５）。このため、シート本体１０自身で自立することが可能となる。さらに、自立機能を奏する屈曲部分は、Ｘ方向において、板部分１５の幅毎に現れる（図４〜５）。したがって、１枚の仕切り２において、一部の屈曲部分の強度が損なわれても、他の屈曲部分の強度が維持されていれば、仕切り２全体としての自立機能は損なわれない。したがって、仕切り２は、繰り返し使用にも耐えられる。
【００３０】
また、スタンド片４０は、シート本体１０に対して折られ、折り目の向きは、山折り目ＹＭと谷折り目ＴＮとが交互となっている。このような複数のスタンド片４０は、シート本体１０の両面側から支えることができるため、起立状態が安定する。
【００３１】
また、平行折り目２０の折り目は、山折り目ＹＭと谷折り目ＴＮとが互い違いになっているため、折り畳み角度θ（図５（Ａ））を変更することにより、１枚の仕切り２の設置幅Ｗを変更できる。
【００３２】
さらに、屈曲折り目３０は、全て、谷折り目ＴＮ又は山折り目ＹＭとなっており、屈曲折り目３０が谷折り目ＴＮとなるようにシート本体１０を見た場合、屈曲折り目３０に対して鋭角α（図３）に交わる平行折り目２０は山折り目ＹＭであり、屈曲折り目３０に対して鈍角β（図３）に交わる平行折り目２０は谷折り目ＴＮである。このような特殊な折り目のパターンは、Ｘ方向に並ぶ複数のシート下部１５Ｌが折れ曲がった状態（図４、６（Ａ））と、シート下部１５Ｌが山折り谷折りと交互に折り畳まれた折り畳み状態（折り畳み角度θは、ほぼ０°。図６（Ｂ））との間の切り替えを自在にする。さらに、このような特殊な折り目のパターンは、シート本体１０に特殊なテンションを生むため、Ｘ方向に並ぶ複数のシート下部１５Ｌが、折れ曲がった状態（図４、６（Ａ））から、平坦状態（折り畳み角度θ＝１８０°）への遷移を規制する。結果、Ｘ方向に並ぶ複数のシート下部１５Ｌは、折れ曲がった状態を維持することができる。よって、起立状態が安定する。
【００３３】
１枚の仕切り２は、このような特殊な折り目のパターンを備えるため、自身で安定して起立することができる。したがって、図４〜５に示すように、複数の仕切り２をつなぎ合わせて、ブースを組み立てる作業は、一人でも可能となる。
【００３４】
さらに、このような特殊な折り目のパターンは、強い強度を生み出すため、繰り返し使用にも耐えられるだけでなくシート本体１０の材料として、比較的軽い紙類（段ボール等）を採用することができる。結果、仕切り２やブースを組み立てる作業は、女性、子供や高齢者など、非力な人でも一人で可能となる。
【００３５】
上記実施形態では、スタンド片４０は、シート本体１０に対して一体となっていたが、本発明はこれに限られず、スタンド片４０は、シート本体１０に対して別体となっていてもよい。同様に、連結片５０は、シート本体１０に対して一体となっていたが、本発明はこれに限られず、連結片５０は、シート本体１０に対して別体となっていてもよい。
【００３６】
上記実施形態では、屈曲折り目３０における折り返しがブース１００の外側に向いていたが（図４）、本発明はこれに限られず、屈曲折り目３０における折り返しがブース１００の外側に向くようになっていてもよい。
【００３７】
上記実施形態では、仕切り２として利用したが、本発明はこれに限られず、アコーディオン状のドアとしても利用してもよい。
【００３８】
ところで、図５に示した基本ブース１００や増設ブース２００において、特殊な折り目（図３）にて折られたシート本体１０は、９０°に折れ曲がらない。このため、各ブースが囲む空間は、輪郭形状がいびつで、使いにくいものとなってしまう場合がある。かかる場合には、別のシート本体３１０（図７）とシート本体１０とを接続し、接続部分をブースの角としてもよい。この場合において、シート本体１０の屈曲折り目３０よりもＺ方向下側は、シート本体３１０（図７）に対して接続する一方、シート本体１０の屈曲折り目３０よりもＺ方向上側は、シート本体３１０（図７）に対して接続しない。このため、シート本体１０の特殊な折り目に起因するテンションは、シート本体３１０へ伝わらなくなる。結果、ブースが囲む空間は、輪郭形状がすっきりし、使いやすいものとなる。
【００３９】
シート本体３１０は、Ｘ方向及びＺ方向に延びる長方形のシート部３２０と、シート部３２０のＺ方向下端部から連接するスタンド片３４０と、シート部３２０のＸ方向端部に設けられた連結片３５０と、を備える。
【００４０】
スタンド片３４０は、スタンド片４０と同様の構造を有し、連結片３５０は、連結片５０と同様の構造を有する。シート部３２０とスタンド片３４０との連接部分３４５は、Ｚ方向に延び、山折り目と谷折り目が交互に並ぶ。このため、隣り合うスタンド片３４０は、シート部３２０に対して、表面側及び裏面側に向かって交互に折れ曲がることができる。結果、スタンド機能を奏する（図８）。
【００４１】
シート本体１０（図１）とシート本体３１０（図７）とを用いて作られたブース４００を図８に示す。このように、シート本体１０と連なるシート本体３１０は、特殊な折り目（図３）にて折られていない。結果、ブースが囲む空間ＳＰは、輪郭形状がすっきりし、使いやすいものとなる。なお、シート本体３１０（図７）のＺ方向における高さは、シート本体１０（図１）における高さＬＬと等しくても良いし、高さＬＬと高さＬＵとの和に等しくてもよい。
【００４２】
なお、シート本体３１０（図７）に変えて、シート本体５１０（図９）を用いてもよい。シート本体５１０は、シート本体１０（図１）における６つの板部分１５のうち左半分（３枚分）に相当する部分の平行折り目２０及び屈曲折り目３０が省略されたものである。なお、連接折り目５５は必要に応じて設ければよい。また、シート本体５１０のＺ方向上端において、Ｘ方向中央部から屈曲折り目３０までスリット５１０Ｓが形成される。スリット５１０Ｓは、Ｚ方向に延びる。このため、スリット５１０Ｓより右側におけるシート本体５１０のテンションが、スリット５１０Ｓより左側のシート本体５１０へ伝わらなくなる。結果、ブースが囲む空間は、輪郭形状がすっきりし、使いやすいものとなる。
【００４３】
上記実施形態では、Ｚ方向に延びるスリット５１０Ｓを形成したが、本発明はこれに限られず、Ｚ方向に対して交差する方向へ延びるスリット５１０Ｓを形成してもよい。
【００４４】
上記実施形態では、スリット５１０Ｓよりも左側のシート本体５１０において、平行折り目２０及び屈曲折り目３０が省略したが、本発明はこれに限られず、本発明の趣旨の範囲において、平行折り目２０及び屈曲折り目３０は形成されていてもよいし、所定の向きに折られてもよい。
【００４５】
尚、本発明は、上記した実施の形態に限定されるものではなく、本発明の要旨を逸脱しない範囲内において種々変更を加え得ることは勿論である。
【符号の説明】
【００４６】
２     仕切り
１０   シート本体
１５   板部分
１５Ｌ シート下部
１５Ｕ シート上部
２０   平行折り目
３０   屈曲折り目
４０   スタンド片
４５、５５    連接折り目
５０   連結片
５８   面ファスナ
ＴＮ   谷折り目
ＹＭ   山折り目
α     交差角度（鋭角）
β     鈍角
【図１】
2020169479.tif 000003
【図２】
2020169479.tif 000004
【図３】
2020169479.tif 000005
【図４】
2020169479.tif 000006
【図５】
2020169479.tif 000007
【図６】
2020169479.tif 000008
【図７】
2020169479.tif 000009
【図８】
2020169479.tif 000010
【図９】
2020169479.tif 000011
【図１０】
2020169479.tif 000012